(57)【要約】【課題】カメラ等の撮像機能を有する携帯電話機等の無線携帯端末装置において、紛失や盗難に遭った際に所有者以外の他人に個人情報の取得等の不正使用されることを抑制する。【解決手段】携帯電話機１は、視野角制御機能付き表示部２とカメラ４を有し、カメラ４は、図１（ａ）に示すように視野角制御機能付き表示部２の表示面と同じ側にレンズを向けている。携帯電話機１はロック（機能制限）機能を有しておりパスワード入力による認証に成功しない限り制限が解除されない。パスワード入力画面を表示する際、視野角制御機能付き表示部２は視野角を制御して、図１（ｂ）に示すように、表示部視野範囲をカメラ撮影範囲に合わせる。操作者がパスワード入力に何回か連続して失敗するとカメラ４は操作者の顔を撮影し、携帯電話機１は撮影した画像を所有者のメールアドレスに送る。【選択図】図１
2008167075.tif 000002
【特許請求の範囲】
【請求項１】
無線通信手段と、撮像手段と、認証手段と、該認証手段による操作者の認証のための入力画面を表示する表示手段と、を備え、
該表示手段は、前記入力画面を表示するときに視野角を制御して、視野範囲を前記撮像手段の撮像可能範囲に一致させ、
前記撮像手段は、前記認証手段による操作者の認証が所定の回数連続して誤った場合に操作者の相貌を撮像し、
前記無線通信手段は、前記撮像手段が撮像した画像を予め登録された送信先に送信することを特徴とする撮像機能付き無線携帯端末装置。
【請求項２】
前記表示手段が前記入力画面を表示するときに視野角を制御して得る視野範囲は、操作者が前記入力画面を見える位置に携帯端末を傾けたときに前記撮像手段が操作者の相貌を撮像しうる撮影範囲に一致させられることを特徴とする請求項１記載の撮像機能付き無線携帯端末装置。
【請求項３】
前記表示手段は、前記認証手段による操作者の認証が誤った場合に、その旨を表示して操作者に警告することを特徴とする請求項１又は２記載の撮像機能付き無線携帯端末装置。
【請求項４】
前記表示手段は、前記無線通信手段が撮像された画像を予め登録された送信先に送信した場合に、その旨を表示して操作者に警告することを特徴とする請求項１から３のいずれか１項記載の撮像機能付き無線携帯端末装置。
【請求項５】
利用可能な機能の一部を制限して、前記認証手段による操作者の認証が成功した場合にのみ制限を解除する機能制限手段を有することを特徴とする請求項１から４のいずれか１項記載の撮像機能付き無線携帯端末装置。
【請求項６】
前記表示手段は、電気的に視野角を可変制御する液晶表示装置であることを特徴とする請求項１から５のいずれか１項記載の撮像機能付き無線携帯端末装置。
【発明の詳細な説明】
【技術分野】
【０００１】
本発明は、撮像機能付き無線携帯端末装置に関し、より詳細にはカメラ付き携帯電話機に関する。
【背景技術】
【０００２】
携帯電話機、ＰＨＳ、ＰＤＡ等を含む、無線携帯端末においては、近年カメラ等で静止画や動画を撮像する撮像機能を付加した端末がある。一方で、これら無線携帯端末においては、近年個人情報を記憶可能な端末が増えている。このような携帯端末を置き忘れたり、また盗難されたりすると、端末の所有者の個人情報を悪意をもった第三者に取得される虞がある。したがって、これら無線携帯端末にロック（機能制限）をかけて、暗証番号の照合を行ったうえで成功した場合のみロックを解除するというセキュリティ維持のための周知技術がある。しかしながら、例えば、数字４桁の暗証番号が設定された場合では、たかだか１万通りの試行で必ずロックが外れるのである。
【０００３】
この問題を解決するために、従来、上述のカメラ機能を利用して、第三者による執拗な暗証番号の試行を抑制する効果を図った発明が提案されている。
【０００４】
例えば、特許文献１に開示された携帯端末の従来発明は、暗証番号を入力する入力手段と、暗証番号の入力が連続して所定の回数誤った場合に不正利用であるとして周囲の状況を記録する記録手段を備えるものである（例えば、段落番号００３８−００３９参照）。また、記録した周囲の状況を、あらかじめ登録されている特定の電話番号先へ発信することも記載されている（例えば、段落番号００３９）。
【０００５】
他に、例えば、特許文献２に開示された無線携帯端末装置の従来発明は、端末装置のユーザの個人情報を表示させようとしたり、操作ロックを解除しようとしたりする要求があった場合であって、所定の回数以上暗証番号の照合が連続して不一致であった場合に、カメラで撮影を行うものである（例えば、段落番号００１７−００１９参照）。
【０００６】
また、例えば、特許文献３に開示されたカメラ付き携帯電話機の従来発明は、入力された端末暗証番号と、メモリに記憶されている端末暗証番号が不一致の場合は、操作者のカメラ撮影を行い（例えば、段落番号００１６参照）、不一致である旨警告表示を行い（例えば、段落番号００１７）、撮影した画像をメールに添付してあらかじめメモリに記憶されているアドレスへメール送信を行う（例えば、段落番号００１８）ものである。
【特許文献１】特開２００３−１０１６４０号公報
【特許文献２】特開２００３−１６９３７１号公報
【特許文献３】特開２００５−１５１０５２号公報
【発明の開示】
【発明が解決しようとする課題】
【０００７】
しかしながら、従来、携帯電話を含む無線携帯端末において、紛失・盗難時、第三者が暗証番号等によりロック（機能制限）された携帯電話の解除を失敗しても、第三者は不正使用をあきらめることは少なかった。
【０００８】
本発明は、上記従来技術の問題点に鑑みてなされたものであり、携帯電話機を含む無線携帯端末の紛失・盗難時の不正使用を抑制することを目的とする。
【課題を解決するための手段】
【０００９】
上記目的を達成するための、請求項１記載の発明は、無線通信手段と、撮像手段と、認証手段と、該認証手段による操作者の認証のための入力画面を表示する表示手段と、を備え、該表示手段は、前記入力画面を表示するときに視野角を制御して、視野範囲を前記撮像手段の撮像可能範囲に一致させ、前記撮像手段は、前記認証手段による操作者の認証が所定の回数連続して誤った場合に操作者の相貌を撮像し、前記無線通信手段は、前記撮像手段が撮像した画像を予め登録された送信先に送信することを特徴とする撮像機能付き無線携帯端末装置である。
【００１０】
請求項２記載の発明は、請求項１記載の撮像機能付き無線携帯端末装置において、前記表示手段が前記入力画面を表示するときに視野角を制御して得る視野範囲は、操作者が前記入力画面を見える位置に携帯端末を傾けたときに前記撮像手段が操作者の相貌を撮像しうる撮影範囲に一致させられることを特徴とする。
【００１１】
請求項３記載の発明は、請求項１又は２記載の撮像機能付き無線携帯端末装置において、前記表示手段は、前記認証手段による操作者の認証が誤った場合に、その旨を表示して操作者に警告することを特徴とする。
【００１２】
請求項４記載の発明は、請求項１から３のいずれか１項記載の撮像機能付き無線携帯端末装置において、前記表示手段は、前記無線通信手段が撮像された画像を予め登録された送信先に送信した場合に、その旨を表示して操作者に警告することを特徴とする。
【００１３】
請求項５記載の発明は、請求項１から４のいずれか１項記載の撮像機能付き無線携帯端末装置において、利用可能な機能の一部を制限して、前記認証手段による操作者の認証が成功した場合にのみ制限を解除する機能制限手段を有することを特徴とする。
【００１４】
請求項６記載の発明は、請求項１から５のいずれか１項記載の撮像機能付き無線携帯端末装置において、前記表示手段は、電気的に視野角を可変制御する液晶表示装置であることを特徴とする。
【発明の効果】
【００１５】
本発明によれば、無線携帯端末の紛失・盗難時の不正使用を抑制することができる。
【発明を実施するための最良の形態】
【００１６】
以下、本発明を実施の形態によって図面を参照しながら説明するが、本発明は特にその内容に限定されるものではない。
【００１７】
図１を参照すると、本実施形態の動作態様を説明するための図が示されている。図１の（ａ）は側面図であり、（ｂ）は上面図である。図１に示される携帯電話機１は、カメラ４と視野角制御機能付き表示部２とを有し、カメラ４の設置される位置は、視野角制御機能付き表示部２の視野範囲であれば操作者の顔が撮影可能な位置である。
【００１８】
図１において、携帯電話機１は、視野角制御機能付き表示部２とカメラ４を有し、カメラ４は、図１（ａ）に示すように視野角制御機能付き表示部２の表示面と同じ側にレンズを向けている。携帯電話機１はロック（機能制限）機能を有しておりパスワード入力による認証に成功しない限り制限が解除されない。パスワード入力画面を表示する際、視野角制御機能付き表示部２は視野角を制御して、例えば図１（ｂ）に示すように、表示部視野範囲をカメラ撮影範囲に合わせる。操作者がパスワード入力に何回か連続して失敗するとカメラ４は操作者の顔を撮影し、携帯電話機１は撮影した画像を所有者のメールアドレスに送る。
【００１９】
図１（ｂ）に示すように、地面に水平方向の成分における視野角制御は、人間が携帯電話機１の画面を見る際に標準的な位置（例えば、３０センチメートル）で、カメラ撮影範囲と表示部視野範囲とが一致するようにする。また、地面に垂直方向の成分における視野角制御も、同様に行う。
【００２０】
ここで、視野角制御機能付き表示部２は、例えば電圧を印可することによって液晶分子の配向方向を変えることができる液晶層を１対の基板で挟持して構成される液晶パネルを用いることが好ましい。例えば視野角を狭めるシートを用いる方式に比べて全体構成がコンパクトになり、有利である。
【００２１】
次に、本実施形態の詳細な構成を、図２を参照して説明する。図２は、本実施形態の概略構成を示すブロック図である。携帯電話機１は、撮影した画像を記憶する画像記憶部１１と、カメラ４を制御するカメラ制御部１２と、文字や英数字を入力するキー操作部３と、入力された文字やカメラ４によって撮影された画像を表示する視野角制御機能付き表示部２と、電話帳やメールのアドレスを記憶するＡ記憶部１３と、電話機能制限を解除する為のパスワードを記憶するＢ記憶部１４と、ロックを解除する為に入力するパスワードを一次保管するＣ記憶部１５と、パスワードが一致しているか否かを判定するＡ判定回路１６と、Ａ判定回路１６でパスワードが不一致と判定された場合カウントアップするカウンタ１７と、パスワードの誤り許容回数ｎを記憶する誤り回数記憶部１８と、誤り許容回数ｎとカウンタ１８でカウントされた値とを比較し判定するＢ判定回路１９と、カメラ動作以外の制御関係を制御する制御部２０と、音声やデータを送受信する無線部２１と、を備えている。
【００２２】
図３のフローチャート図を参照すると、上記の構成を特徴とする本実施形態の動作が示されている。まず、携帯電話機１は、操作者からの入力を待ち受ける、待ち受け状態にある（ステップＳ３０１）。次に、操作者は、キー操作部３にて機能制限（ロック）状態を解除するためのパスワード、及びパスワード入力時の誤り許容回数ｎ（ｎは任意の自然数）及びパスワード入力が許容回数を超えた場合に送付される宛先となるメールアドレスを登録する（ステップＳ３０２）。
【００２３】
図３において、ステップＳ３０２の登録をしたのち、操作者が端末をロックする設定をする（ステップＳ３０３）と、携帯電話機１は、ロック状態になる（ステップＳ３０４）。この後、機能制限（ロック）状態を解除する場合、操作者はパスワードをキー操作部３から入力する（ステップＳ３０５）。
【００２４】
また、携帯電話機１がロック状態にあるとき（ステップＳ３０４）から、操作者がパスワードを入力するとき（ステップＳ３０５）、制御部２０は、視野角制御機能付き表示部２の視野角をある範囲に制御する（ステップＳ３０６）。この制御される視野角は、操作者が視野角制御機能付き表示部２を見える位置に携帯電話機１を傾けたとき、操作者の顔がカメラ４により撮影できる角度とする。
【００２５】
キー操作部３から入力されたパスワードは、Ｃ記憶部１５に一時保管され、Ｂ記憶部１４に記憶されているパスワードとＡ判定回路１６にて比較される。このとき、一致すれば（ステップＳ３０７、Ｙｅｓ）、ロック状態は解除されて（ステップＳ３０８）、終了する。不一致の場合（ステップＳ３０７、Ｎｏ）、カウンタ１７のカウント数：ｍをカウントアップする（ステップＳ３０９）。
【００２６】
次に、Ｂ判定回路１９は、カウンタ１７のカウント数：ｍと誤り許容回数記憶部１８に記憶されたｎを比較する（ステップＳ３１０）。
そこで、ｎ≧ｍの場合（ステップＳ３１０、Ｎｏ）、ロック状態、他の動作に変化はない（処理の流れは、ステップＳ３０４に戻る）。
【００２７】
ｎ＜ｍの場合（ステップＳ３１０、Ｙｅｓ）、Ｂ判定回路１９より信号Ｓｋが出力されて、視野角制御機能付き表示部２へ”解除失敗！”等の警告表示を表示する（ステップＳ３１１）。同時にカメラ制御部１２は、信号Ｓｋにより、自動的にカメラ４を起動し撮影を実行する。撮影された画像は画像記憶部１１へ保存される（ステップＳ３１２）。
【００２８】
また、カメラ制御部１２は、制御部２０へ信号Ｓｍを出力する。制御部２０は、信号ＳｍによりＡ記憶部１３にあらかじめ記憶されていたメールアドレスを宛先としたメールに画像記憶部１１に記憶された撮影画像を添付する。作成されたメールは、無線部２１により、指定されたアドレスへ送信される（ステップＳ３１３）。
【００２９】
送信後、視野角制御機能付き表示部２へ、ロック解除に規定回数失敗したため撮影画像を携帯電話所有者へ送信した旨（例：”撮影画像を所有者へ送付しました”）を表示する（ステップＳ３１４）。
【００３０】
図４を参照すると、上記図３の説明における、操作者がロック解除に規定回数を超えて失敗した場合の視野角制御機能付き表示部２への表示例が示されている。図４の（ａ）は図３のステップＳ３１１における警告等の一表示例である。図４の（ｂ）は図３のステップＳ３１４における警告等の一表示例である。
【００３１】
なお、図３におけるステップＳ３１１又はステップＳ３１４で実行処理される、表示部２への警告等の表示に加えて、携帯電話機１の（図示しない）音声出力部から警告音声の出力あるいは（図示しない）ＬＥＤ発光部への警告発光パターンの発光を実行処理してもよい。もちろん、これら表示・音声・発光等を組み合わせて、操作者への警告としてもよい。
【００３２】
上記の本実施形態によれば、不正使用を制限するため、機能を制限した（ロック）状態にて、（悪意の第三者と想定される）操作者がロック解除を設定回数以上誤った場合、自動的に操作者の顔を撮影し、あらかじめ登録しているメールアドレスへ撮影された写真を送付する。そして、表示部へ操作者の顔を撮影した写真を送付した旨を表示するよう構成したので、本実施形態は携帯電話機の不正使用を抑制することができる。
【図面の簡単な説明】
【００３３】
【図１】本発明による実施形態の動作態様を説明するための図であり、（ａ）は側面図、（ｂ）は上面図である。
【図２】本発明による実施形態の概略構成を示すブロック図である。
【図３】本発明による実施形態の動作を示すフローチャート図である。
【図４】本発明による実施形態の、操作者がロック解除に規定回数を超えて失敗した場合の視野角制御機能付き表示部２への表示例を示す図である。
【符号の説明】
【００３４】
１    携帯電話機
２    視野角制御機能付き表示部
３    キー操作部
４    カメラ
１１    画像記憶部
１２    カメラ制御部
１３    Ａ記憶部
１４    Ｂ記憶部
１５    Ｃ記憶部
１６    Ａ判定回路
１７    カウンタ
１８    誤り許容回数記憶部
１９    Ｂ判定回路
２０    制御部
２１    無線部
【図１】
2008167075.tif 000003
【図２】
2008167075.tif 000004
【図３】
2008167075.tif 000005
【図４】
2008167075.tif 000006